(57)【要約】【課題】１個の椅子を、食事時や事務時にはシートを高くするとともにその傾斜角を小さくして食事や事務に適した形態にし、また、寛ぎ時には、シートの高さを低くするとともにその傾斜角を大きくして寛ぎに適した形態にする。【解決手段】椅子１の前後方向における前側に配置した前側リンク１３と、後側に配置した後側リンク１５を設ける。前側リンク１３の下端と後側リンク１５の下端を椅子１の枠体に固定の部材１２に回転可能に連結する。昇降可能に配置したシート２１に前記前側リンク１３の上端と後側リンク１５の上端を回転可能に連結する。前側と後側のリンク１３，１５を、その上端側が後方へ移動するように傾斜させることにより、シート１全体が下降するとともにシート１の後部の下方への傾斜角が大きくなるように設定する。【選択図】          図２
2004208747.tif 000002
【特許請求の範囲】
【請求項１】
椅子の前後方向における前側に配置した前側リンクと、後側に配置した後側リンクを設け、前側リンクの下端と後側リンクの下端を椅子の枠体に固定の部材に回転可能に連結し、昇降可能に配置したシートに前記前側リンクの上端と後側リンクの上端を回転可能に連結し、前記前側と後側のリンクを、その上端側が後方へ移動するように傾斜させることにより、シート全体が下降するとともにシートの後部の下方への傾斜角が大きくなるように設定したことを特徴とする椅子。
【請求項２】
前記前側リンクの長さと後側リンクの長さを同一長に定め、前側リンクの上端側の回転支点と後側リンクの上端側の回転支点との間隔を、前側リンクの下端側の回転支点と後側リンクの下端側の回転支点との間隔よりも長く設定した請求項１記載の椅子。
【請求項３】
前記シートに、該シートを上昇方向に付勢する付勢手段と、シートを所望の昇降位置に保持する保持手段を設けた請求項１又は２記載の椅子。
【請求項４】
前記シートの後部に背もたれの下部を前後方向に回転可能に連結してシートとともに背もたれが昇降するようにするとともに、背もたれを起立方向に付勢した請求項１又は２又は３記載の椅子。
【請求項５】
前記シートの後部と背もたれの下部を板バネで連結し、該板バネにより背もたれを回転可能に支持するとともに起立方向に付勢した請求項４記載の椅子。
【発明の詳細な説明】
【０００１】
【発明の属する技術分野】
本発明は椅子に関する。
【０００２】
【従来の技術】
従来、椅子において、使用者に応じてシート（座席）を昇降できるようにするとともにその所望の高さを固定する椅子が知られているが、そのシートは設定された前後方向の角度が一定のままで昇降するようになっている。
【０００３】
【発明が解決しようとする課題】
ところで、一般に、食事時や事務時には椅子のシートの高さが高く、かつ、シート面が略水平の形態が望ましく、また休息時には椅子のシートの高さが低く、かつ、シート面が前記の略水平状態より後方が下がった傾斜状態が寛ぐ上に望ましい。
【０００４】
しかし、前記従来のように、シートの前後方向の角度が一定のまま昇降する椅子においては、前記のような２つの形態に変形することができない。
【０００５】
そこで本発明は、１個の椅子によって前記の２つの形態に変形することができる椅子を提供することを目的とするものである。
【０００６】
【課題を解決するための手段】
前記の課題を解決するために、請求項１記載の発明は、椅子の前後方向における前側に配置した前側リンクと、後側に配置した後側リンクを設け、前側リンクの下端と後側リンクの下端を椅子の枠体に固定の部材に回転可能に連結し、昇降可能に配置したシートに前記前側リンクの上端と後側リンクの上端を回転可能に連結し、前記前側と後側のリンクを、その上端側が後方へ移動するように傾斜させることにより、シート全体が下降するとともにシートの後部の下方への傾斜角が大きくなるように設定したことを特徴とするものである。
【０００７】
本発明においてシートを下降させて両リンクを後方へ傾斜させると、シートの高さが低くなるとともにシートの後方が下方へ傾斜する傾斜角が大きくなり、寛ぎに適したリビング状態になる。
【０００８】
また、上記の状態からシートを上昇させると、両リンクが前方へ起立し、シートの高さが高くなるとともにシートの前記傾斜角が小さくなり、食事や事務に適した形態になる。
【０００９】
請求項２記載の発明は、前記請求項１記載の発明において、前記前側リンクの長さと後側リンクの長さを同一長に定め、前側リンクの上端側の回転支点と後側リンクの上端側の回転支点との間隔を、前側リンクの下端側の回転支点と後側リンクの下端側の回転支点との間隔よりも長く設定したものである。
【００１０】
本発明においては、前記両リンクを同一の長さに形成して前記の作用、効果を発揮することができる。
【００１１】
請求項３記載の発明は、前記請求項１又は２記載の発明において、前記シートに、該シートを上昇方向に付勢する付勢手段と、シートを所望の昇降位置に保持する保持手段を設けたものである。
【００１２】
本発明においては、着座してシートへの体重のかけ量を加減するとともに保持手段の操作で椅子の形態を容易に変化させることができる。
【００１３】
請求項４記載の発明は、前記請求項１又は２又は３記載の発明において、前記シートの後部に背もたれの下部を前後方向に回転可能に連結してシートとともに背もたれが昇降するようにするとともに、背もたれを起立方向に付勢したものである。
【００１４】
本発明においては、前記のようにシートの傾斜角を大きくした場合に着座者の体重が背もたれに作用すると、背もたれが後方へ傾斜した状態で体を支える。
【００１５】
請求項５記載の発明は、前記請求項４記載の発明において、前記シートの後部と背もたれの下部を板バネで連結し、該板バネにより背もたれを回転可能に支持するとともに起立方向に付勢したものである。
【００１６】
本発明においては、板バネによって前記請求項４記載の作用を発揮することができる。
【００１７】
【発明の実施の形態】
本発明の好ましい実施の形態を図に示す実施例に基づいて説明する。
【００１８】
図１乃至図４は第１実施例を示す。
図１はシートを上昇した状態の椅子の正面図、図２は図１におけるＡ−Ａ線側断面図、図３は図２の状態からシートを下降した状態の側断面図、図４は模式図である。
【００１９】
椅子１を形成する枠体は、一対の側枠２と、該両側枠２の前部に固設した一対の前脚３と、両側枠２の後部に固設した一対の後脚４と、前記一対の前脚３間を連結する前枠５と、前記一対の後脚４間を連結する後枠６とからなる。
【００２０】
また、前記各前脚３の下端にはキャスタ７が備えられ、各後脚４の下端にはキャスタ８が備えられている。更に、前記前脚３と後脚４の上端には肘９が架設されている。
【００２１】
前記一方の側枠２には取付枠１０が、前後方向に、かつ、略水平状態にビス１１によって固設されている。該取付枠１０の上面には下座受け部材１２が、前後方向に、かつ、略水平状態に固設されており、該下座受け部材１２は椅子の枠体側に不動に固設されている。
【００２２】
前記下座受部材１２の前部には前側リンク１３が、その下端を下部前側ピン１４により下座受け部材１２に回転可能に連結して立設されており、該前側リンク１３が、下部前側ピン１４を中心として前後方向に回動できるように備えられている。また、下座受け部材１２の後部には後側リンク１５が、その下端を下部後側ピン１６により下座受け部材１２に回転可能に連結して立設されており、該後側リンク１５が、下部後側ピン１６を中心として前後方向に回動できるように備えられている。
【００２３】
前記前側リンク１３の上端と後側リンク１５の上端は上座受け部材１７で回転可能に連結されている。すなわち、前側リンク１３の上端を上部前側ピン１８により上座受け部材１７に回転可能に連結し、また、後側リンク１５の上端を、前記上部前側ピン１８より後方の位置において、上部後側ピン１９により上座受け部材１７に回転可能に連結している。
【００２４】
前記各ピン１４，１６，１８，１９は回転支点となっている。
前記下座受け部材１２、両リンク１３，１５及び上座受け部材１７からなるリンク装置２０は、椅子１の左右の側枠（一対の側枠）２におけるそれぞれの内側に位置して一対設けられている。
【００２５】
そして、左右の上座受け部材１７上にわたってシート２１が載置固定されており、両リンク１３，１５の起伏による上座受け部材１７の昇降によりシート２１が昇降するようになっている。
【００２６】
また、前記２本のリンク１３，１５と前記各ピン１４，１６，１８，１９の位置関係について図４により説明する。
【００２７】
前記した座受け部材１７が略水平に配置されているものとし、前記前側リンク１３の下部前側ピン１４と後側リンク１５の下部後側ピン１６との間隔をＬ１とする。該Ｌ１の寸法は実施に際して１７５ｍｍに設定した。また、前記前側リンク１３の長さＬ２と後側リンク１５の長さＬ３は同一長に形成されている。該Ｌ２，Ｌ３の寸法は実施に際して２００ｍｍに設定した。また、前側リンク１３の上部前側ピン１８と後側リンク１５の上部後側ピン１９との間隔Ｌ４は、前記Ｌ１よりも長く設定されている。該Ｌ４の寸法は実施に際して１８０ｍｍに設定した。したがって、両リンク１３，１５が垂線Ｙ−Ｙより後方へ傾斜している状態では上座受け部材１７は、図４に示すように、後方が下降する傾斜状態になる。
【００２８】
図４の両リンク１３，１５と上座受け部材１７の実線位置はシート２１を上昇して、シート２１を食事時や事務時の高さにした状態である。この状態では上座受け部材１７、すなわちシート２１が、その後方が、水平に対して若干の角度θ１で傾斜した形態になる。この傾斜θ１は約１．５°が望ましい。
【００２９】
次に、上座受け部材１７、すなわちシート２１を、鎖線の位置１７ａまで下降させると、両リンク１３，１５が、ピン１４，１６を回転支点として後方へ倒れ、鎖線の状態１３ａ，１５ａになる。この状態になると、上座受け部材１７、すなわちシート２１の、水平に対する傾斜角θ２は、前記角度θ１よりも大きい角度となり、シート２１は、その後方が大きく下降した姿勢になる。したがって、休息時にシート２１を下降させることにより、そのシート２１の高さが低くなるとともにシート２１の後方が大きく下降した、すなわち深みが大きい形態になる。なお、前記の傾斜角θ２は約５．５°が望ましい。
【００３０】
次に、前記図１において、前記両側枠２間には下部支杆２２が架設固定されており、また、前記両上座受け部材１７間には上部支杆２３が架設されている。そして、前記下部支杆２２と上部支杆２３間に、上座受け部材１７、すなわちシート２１を上昇方向へ付勢する付勢手段２４が設けられている。この付勢手段２４は図の実施例では、下端を下部支杆２２にピン２４ａにより回転可能に連結し、ロッド２４ｂの先端をピン２４ｃにより上部支杆２３に回転可能に連結したガスシリンダを使用しており、シート２１に上方からの荷重をかけずに椅子１に設けた操作レバー２５を開操作してガスシリンダ２４内の弁を開弁することによりシート２１がガスシリンダ２４内の蓄積されたガス圧により上昇し、また、操作レバー２５を開操作して、シート２１に上方からの荷重をかけることによりシート２１が下降し、更に、シート２１を所望の高さに位置させて操作レバー２５を閉操作してガスシリンダ２４内の弁を閉弁することにより、ガスシリンダ２３によってその位置が保持されるようになっている。したがって、このガスシリンダ２４が、シート２１を上昇方向へ付勢する付勢手段と、シートの所望の昇降位置を保持する保持手段を構成する。
【００３１】
なお、前記の付勢手段２４はガスシリンダに限るものではなく、シート２１を常時上方へ付勢する手段であればよく、例えばバネを使用してもよい。また、シート２１の高さを所望の位置で保持する手段は前記以外の方法、例えばシート２１を昇降方向に段階的に停止できるストッパを用いる方法でもよい。
【００３２】
前記後側リンク１５の上部内面には一方のストッパ２６が突設され、また前記上座受け部材１７の後部内面には、前記一方のストッパ２６と係合する他方のストッパ２７が突設されており、シート２１が所定位置まで下降した場合に、これら両ストッパ２６，２７が図３に示すように当接して、シート２１が所定位置より下がらないようになっている。
【００３３】
前記シート２１の後部には背もたれ２８が、シート２１の後部付近を中心として前後方向に回動でき、かつ、常時起立姿勢に付勢されて備えられている。図の実施例においては、板バネ（バネ鋼）２９の一端を前記シート２１の後部側に固着し、他端を背もたれ２８の下部側に固着して、背もたれ２８が板バネ２９の付勢力により常時は起立姿勢に保持され、使用者が着座して背もたれ２８を後方へ押した場合には、その押力によって背もたれ２８が、板バネ２９の付勢力に抗して後方へ傾斜するようになっている。
【００３４】
次に椅子の使用状態について説明する。
先ず、食事時や事務時には、シート２１とともに上座受け部材１７を図１及び図４の実線で示すように高くする。この状態においては、シート２１の位置が高く、かつ、その傾斜角θ１が小さく、更に、背もたれ２８が起立状態にあり、シート２１が食事や事務に適した高さと傾斜の形態となり、背もたれ２８が、背筋が伸びた姿勢をサポートする。
【００３５】
次に、使用者が寛ぐために、着座してシート２１上に荷重をかけた状態で、前記操作レバー２５を開操作してガスシリンダ２４を開弁作動すると、ガスシリンダ２４のピストン２４ｂが退入し、シート２１が下降する。このシート２１、すなわち、上座受け部材１７が下降すると、図３及び図４の鎖線で示すように両リンク１３，１５が後方へ倒れるように傾斜する。この両リンク１３，１５の傾斜により、前記のように上座受け部材１７、すなわちシート２１の、後方が下降する傾斜各θ２が大きくなる。この状態で操作レバー２５を閉操作し、前記のようなシート２１の下降位置を保持する。
【００３６】
上記の形態により、シート２１の高さが低く、かつ、シート角度が深まり、休息に適した形態になる。更に、前記のようにシート角度が深まると、体の重心が背もたれ２８側に移動し、背もたれ２８が押圧されてバネ板３０の付勢力に抗して後方に傾斜する。そのため、背もたれ２８が傾斜するとともに使用者の背をクッション性を有して支え、より一層寛ぎに適した形態になる。
【００３７】
次に、前記図３の形態から前記図１の形態に戻すには、操作レバー２５を開操作することにより、ガスシリンダ２４内に蓄積されたガス圧によってロッド２４ｂが進出し、シート２１が上昇し、図1の形態に復帰する。
【００３８】
図５は第２実施例を示す。
本第２実施例は、前記下部前側ピン１４と下部後側ピン１６との間隔Ｌ５よりも上部前側ピン１８と上部後側ピン１９との間隔Ｌ６を長く設定し、前記前側リンク１３の長さＬ７よりも後側リンク１５の長さＬ８を長く形成したものである。
【００３９】
その他の構造は前記第１実施利と同様である。
本第２実施例においても、前記第１実施例と同様の作用、効果を発揮できる。
【００４０】
【発明の効果】
以上のようであるから本発明によれば、１個の椅子を、食事時や事務時にはシートを高くするとともにその傾斜角を小さくして食事や事務に適した形態にし、また、寛ぎ時には、シートの高さを低くするとともにその傾斜角を大きくして寛ぎに適した形態にすることができる。
【００４１】
更に、請求項２記載の発明においては、両リンクの長さを同一にすることができ、部品管理を容易にし、かつ、製造コストの低減を図ることができる。
【００４２】
更に、請求項３記載の発明においては、前記のような形態の変化の操作が容易に行える。
【００４３】
更に、請求項４記載の発明においては、より一層寛ぎに適した椅子にすることができる。
【００４４】
更に、請求項５記載の発明においては、前記請求項４の発明を簡易に構成することができる。
【図面の簡単な説明】
【図１】本発明の第１実施例を示す椅子の正面図。
【図２】図１におけるＡ−Ａ線断面図で、シートを上昇させた図。
【図３】図２の状態からシートを下降させた図。
【図４】本発明の第１実施例のリンク装置を示す模式図。
【図５】本発明の第２実施例のリンク装置を示す模式図。
【符号の説明】
１    椅子
２    側枠
１２    下座受け部材
１３    前側リンク
１５    後側リンク
１４，１６    下端側の回転支点（ピン）
１７    上座受け部材
１８，１９    上端側の回転支点（ピン）
２１    シート
２４    付勢手段
２８    背もたれ
２９    板バネ
【図１】
2004208747.tif 000003
【図２】
2004208747.tif 000004
【図３】
2004208747.tif 000005
【図４】
2004208747.tif 000006
【図５】
2004208747.tif 000007